(57)【要約】【課題】店頭で販売するタイヤを視覚的に遮らず、また風を受けてもタイヤが転倒しないタイヤ広告吊下げ装置を提供する。【解決手段】店頭に陳列される自動車用のタイヤ１２に吊下げて広告を表示するためのタイヤ広告吊下げ装置１１であって、このタイヤ広告吊下げ装置は、弾性を有し湾曲させることが可能でありタイヤの内側の曲面に沿って係止させる係止部材１３と、係止部材に連結するチェーン状、紐状、または棒状の連結部材１４と、連結部材に連結しており広告を表示する広告表示部１５とから構成される。【選択図】図３
2019159084.tif 000002
【特許請求の範囲】
【請求項１】
店頭に陳列される自動車用のタイヤに吊下げて広告を表示するためのタイヤ広告吊下げ装置であって、
該タイヤ広告吊下げ装置は、
弾性を有し湾曲させることが可能であり前記タイヤの内側の曲面に沿って係止させる係止部材と、
該係止部材に連結するチェーン状、紐状、または棒状の連結部材と、
該連結部材に連結しており広告を表示する広告表示部と、から少なくとも構成されていること
を特徴とするタイヤ広告吊下げ装置。
【請求項２】
前記係止部材は、弾性を有するプラスチック材や合成樹脂材、金属材、木材、または厚紙材で平板状に形成されていること
を特徴とする請求項１に記載のタイヤ広告吊下げ装置。
【請求項３】
前記係止部材は、長方形状、長尺形状、楕円形状、円形状、または十字形状に形成されており、前記連結部材を挿通するための小孔が設けられていること
を特徴とする請求項１に記載のタイヤ広告吊下げ装置。
【発明の詳細な説明】
【技術分野】
【０００１】
本発明は、店頭に陳列される自動車用のタイヤに吊下げて広告を表示するためのタイヤ広告吊下げ装置に関するものである。
【背景技術】
【０００２】
従来、タイヤの広告装置に関するものとしては、特開２００３−３１６２６４号公報に開示された販売用タイヤ装着立体看板が知られている。
【０００３】
この販売用タイヤ装着立体看板は、図８に示すように、タイヤ１のホイル用開口部２から内側に差し込んで装着する左右のタイヤ内挿入舌片３と、この左右のタイヤ内挿入舌片３の内側に谷折り線４を連続させて形成した左右の起立領域５と、この左右の起立領域５に山折り線６を連続させて形成した中央部の主看板領域７とからなる構成である（特許文献１参照）。
【０００４】
このような構成の販売用タイヤ装着立体看板は、山折り線６が円弧状に連なる山形状となり、谷折り線４が円弧状に連なる谷形状となるように折曲され、その左右のタイヤ内挿入舌片３の先端３ａをタイヤ１のホイル用開口２から内側に差し込むことでタイヤ１に装着される。
【先行技術文献】
【特許文献】
【０００５】
【特許文献１】特開２００３−３１６２６４号公報
【発明の概要】
【発明が解決しようとする課題】
【０００６】
この従来例の販売用タイヤ装着立体看板においては、中央部の主看板領域７と左右の起立領域５と左右のタイヤ内挿入舌片３とで、タイヤ１の中央部分をピッタリと覆うことになり、この場合、販売の主体物であるタイヤ１を視覚的に遮ってしまうので、広告手法として望ましくないというという問題点を有している。
【０００７】
また、タイヤ１のホイル用開口２のほぼ全ての範囲を、主看板領域７と起立領域５とタイヤ内挿入舌片３とで塞ぐことになる。したがって、タイヤ１を屋外に陳列する場合には、主看板領域７と起立領域５とタイヤ内挿入舌片３とが風を受ける障害物になり、その結果、風の影響でタイヤ１が転倒したり、タイヤ１の陳列位置がズレたりするおそれがあるという問題点を有している。
【０００８】
従って、従来例における販売用タイヤ装着立体看板においては、販売の主体物であるタイヤ１を視覚的に遮らないことと、風を受けてもタイヤ１が転倒したり陳列位置がズレたりしないこととに解決しなければならない課題を有している。
【課題を解決するための手段】
【０００９】
前記従来例の課題を解決するための本発明の要旨は、店頭に陳列される自動車用のタイヤに吊下げて広告を表示するためのタイヤ広告吊下げ装置であって、該タイヤ広告吊下げ装置は、弾性を有し湾曲させることが可能であり前記タイヤの内側の曲面に沿って係止させる係止部材と、該係止部材に連結するチェーン状、紐状、または棒状の連結部材と、該連結部材に連結しており広告を表示する広告表示部と、から少なくとも構成されていることである。
【００１０】
また、前記係止部材は、弾性を有するプラスチック材や合成樹脂材、金属材、木材、または厚紙材で平板状に形成されていること、；
前記係止部材は、長方形状、長尺形状、楕円形状、円形状、または十字形状に形成されており、前記連結部材を挿通するための小孔が設けられていること、；
を含むものである。
【発明の効果】
【００１１】
本発明に係るタイヤ広告吊下げ装置によれば、係止部材をタイヤの内側の曲面に沿って係止させて、タイヤの中央部分に広告表示部を吊り下げるので、販売の主体物であるタイヤを視覚的に遮らない。つまり、タイヤの広告手法として望ましく、販売向上に寄与することとなる。
また、陳列しているタイヤが風を受けたときには、広告表示部が連結部材を介してフラフラと揺れ動くので、従来例のように風を受けてタイヤが転倒したり陳列位置がズレたりしないという種々の優れた効果を奏する。
【００１２】
さらには、係止部材をタイヤの内側に差し込むだけで取り付けが完了するので、設置が簡単で迅速に行えるだけでなく、その取り外しも簡単である。
係止部材は弾性を有しており、タイヤの内側の曲面に沿ってピッタリと係止するので、取付強度が高く、広告表示部が風を受けても、係止部材は脱落しない。
広告表示部の設置に際しては、粘着テープ等でタイヤに貼着しないので、販売品であるタイヤを汚したり傷つけたりしない。
係止部材、連結部材、広告表示部は、いずれも合成樹脂材や厚紙材等の安価な材料を用いて作製できるので、製品コストが低く、安価に大量生産が可能であるという種々の優れた効果を奏する。
【００１３】
係止部材は、弾性を有するプラスチック材や合成樹脂材、金属材、木材、または厚紙材で平板状に形成されていることによって、いずれも安価な材料を用いるので、製品コストを抑えることができるという優れた効果を奏する。
【００１４】
係止部材は、長方形状、長尺形状、楕円形状、円形状、または十字形状に形成されており、連結部材を挿通するための小孔が設けられていることによって、タイヤの大きさ等に対応させて、最適な形状の係止部材を選択できる。
特に、係止部材が長尺形状である場合には、係止部材を巻いた状態に廻らせて、タイヤの内側にピッタリと係止させることができるので、この場合は、取付強度がさらに高くなるという優れた効果を奏する。
【図面の簡単な説明】
【００１５】
【図１】本発明に係るタイヤ広告吊下げ装置の斜視図である。
【図２】本発明に係るタイヤ広告吊下げ装置の斜視図である。
【図３】タイヤに設置したタイヤ広告吊下げ装置の斜視図である。
【図４】タイヤに設置したタイヤ広告吊下げ装置の斜視図である。
【図５】タイヤ広告吊下げ装置を設置したタイヤの断面図である。
【図６】タイヤ広告吊下げ装置を設置したタイヤの断面図である。
【図７】（ａ）（ｂ）（ｃ）（ｄ）（ｅ）係止部材の様々な実施例を示す正面図である。
【図８】従来例に係る販売用タイヤ装着立体看板とタイヤとを離隔して示す斜視図である。
【発明を実施するための形態】
【００１６】
次に、本発明の実施の形態について図面を参照しながら説明する。まず、図１及び図２において、符号１１はタイヤ広告吊下げ装置を示し、このタイヤ広告吊下げ装置１１は、タイヤ１２の内側の曲面１２ａ（図５及び図６参照）に沿って係止させる係止部材１３と、係止部材１３に連結する連結部材１４と、連結部材１４に連結して広告を表示する広告表示部１５とから構成される。
【００１７】
タイヤ広告吊下げ装置１１は、図３及び図４に示すように、店頭に陳列される自動車用のタイヤ１２に吊り下げた状態に設置して広告を表示するための装置である。
【００１８】
係止部材１３は、弾性を有して湾曲させることが可能な部材で形成されており、具体的には、プラスチック材等の合成樹脂材、金属材、木材、または厚紙材で平板状に形成される。
このような係止部材１３は、図３から図６に示すように、タイヤ１２の内側の曲面１２ａに沿ってピッタリと係止するので、取付強度が高く広告表示部１５が風を受けても、係止部材１３が脱落しない。
【００１９】
係止部材１３の形は、図７に示すように、長方形状（ａ）、長尺形状（ｂ）、楕円形状（ｃ）、円形状、十字形状（ｄ）、または長尺部分を有する十字形状（ｅ）等の適宜な形状に形成される。このように、様々な形の係止部材１３のものから、タイヤ１２の大きさ等に対応させて、最適な形の係止部材１３を選択すればよい。
【００２０】
特に、係止部材１３が、図７（ｂ）（ｅ）に示すように、長尺な部分がある場合は、図６に示すように、長尺部分１３ａを巻いた状態に廻らせて、タイヤ１２の内側の曲面１２ａにピッタリと係止させることができる。この場合には、係止部材１３の取付強度がさらに高くなる。
【００２１】
係止部材１３には、１個又は複数個の小孔１６が形成されている。この小孔１６は、連結部材１４を挿通させるための孔部である。
【００２２】
連結部材１４は、チェーン、紐、または棒等であり、広告表示部１５を吊り下げられる材料で形成される。要するに、タイヤ１２が風を受けたときに、広告表示部１５がフラフラと揺れ動くことのできる形状や部材であればよい。
【００２３】
広告表示部１５は、連結部材１４の下部側に連結して適宜の広告物を表示する。また、広告表示部１５には、１個又は複数個の小孔１７が形成されており、この小孔１７に連結部材１４の下部側が挿通される。
なお、広告表示部１５は、図示するように長方形状に限定されるものではなく、様々な形状や装飾物であってもよいことは勿論である。
【００２４】
以上のように構成されるタイヤ広告吊下げ装置１１は、係止部材１３をタイヤ１２の内側の曲面１２ａに沿って係止させて（図５及び図６参照）、タイヤ１２の中央部分に広告表示部１５を吊り下げるので、販売の主体物であるタイヤ１２を視覚的に遮らない（図３及び図４参照）。つまり、タイヤ１２の広告手法として望ましく、販売向上に寄与することとなる。
【００２５】
また、陳列しているタイヤ１２が風を受けたときには、広告表示部１５が連結部材１４を介してフラフラと揺れ動くので、従来例のように風を受けてタイヤが転倒したり陳列位置がズレたりしない。
【符号の説明】
【００２６】
１    タイヤ
２    ホイル用開口部
３    タイヤ内挿入舌片
３ａ  先端
４    谷折り線
５    起立領域
６    山折り線
７    主看板領域
１１  タイヤ広告吊下げ装置
１２  タイヤ
１２ａ曲面
１３  係止部材
１３ａ長尺部分
１４  連結部材
１５  広告表示部
１６、１７  小孔
【図１】
2019159084.tif 000003
【図２】
2019159084.tif 000004
【図３】
2019159084.tif 000005
【図４】
2019159084.tif 000006
【図５】
2019159084.tif 000007
【図６】
2019159084.tif 000008
【図７】
2019159084.tif 000009
【図８】
2019159084.tif 000010